(57)【要約】【課題】本発明は、加工工程が簡単で、ハウジングの製造コストが低い射出成型用金型を提供すると共に、その射出成型用金型によるハウジングの製造方法を提供する。【解決手段】本発明の射出成型用金型は、雌型と、前記雌型に対応する雄型と、を備え、前記雌型及び前記雄型の一方に切断部が突設され、他の一方に前記切断部を収納する収納穴が開設されている。【選択図】図５
2009220569.tif 000002
【特許請求の範囲】
【請求項１】
雌型と、
前記雌型に対応する雄型と、
を備え、前記雌型及び前記雄型の一方に切断部が突設され、他の一方に前記切断部を収納する収納穴が開設されていることを特徴とする射出成型用金型。
【請求項２】
前記雄型の片側に前記切断部が設置され、
前記雌型は、前記雄型と対向する結合面を備え、前記結合面に窪みが凹設され、前記収納穴は、前記窪みの両端と隣接した結合面にそれぞれ設置されていることを特徴とする請求項１に記載の射出成型用金型。
【請求項３】
前記切断部が、該切断部に対応する前記収納穴の、前記窪み寄りの内側壁に緊密に接合されることを特徴とする請求項２に記載の射出成型用金型。
【請求項４】
前記切断部が刃型であることを特徴とする請求項３に記載の射出成型用金型。
【請求項５】
前記窪みの表面に、前記雌型を貫通する複数の吸気孔が開設されていることを特徴とする請求項４に記載の射出成型用金型。
【請求項６】
雌型と、前記雌型に対応する雄型と、を備え、前記雌型及び前記雄型の一方に切断部が突設され、他の一方に前記切断部を収納する収納穴が開設されている射出成型用金型を提供するステップと、
前記雌型の結合面に開設された前記収納穴、又は前記切断部を被覆するように前記雌型に柔軟層を配置するステップと、
前記射出成型用金型を閉める時に、前記切断部は、前記収納穴に収納されるとともに、前記柔軟層に対して切断を行い、且つ前記雄型及び前記雌型が係合して成型空所を形成するステップと、
前記成型空所に溶融プラスチック材料を注入して、前記プラスチック材料及び前記柔軟層が付着してハウジングを形成するステップと、
前記射出成型用金型から前記ハウジングを取出すステップと、
を備えることを特徴とする射出成型用金型によるハウジングの製造方法。
【請求項７】
前記雄型の片側に前記切断部が設置され、
前記雌型は、前記雄型と対向する結合面を備え、前記結合面に窪みが凹設され、前記収納穴は、前記窪みの両端と隣接した結合面にそれぞれ設置されていることを特徴とする請求項６に記載のハウジングの製造方法。
【請求項８】
前記切断部が、該切断部に対応する前記収納穴の、前記窪み寄りの内側壁に緊密に接合されることを特徴とする請求項７に記載のハウジングの製造方法。
【請求項９】
前記切断部が刃型であることを特徴とする請求項８に記載のハウジングの製造方法。
【請求項１０】
前記窪みの表面に、前記雌型を貫通する複数の吸気孔が開設されていることを特徴とする請求項９に記載のハウジングの製造方法。
【発明の詳細な説明】
【技術分野】
【０００１】
本発明は、射出成型用金型、及びその金型によるハウジングの製造方法に関し、特に射出成型用金型、及びその金型による柔軟層を具備したハウジングの製造方法に関するものである。
【背景技術】
【０００２】
ハウジングは、電子装置の重要な部品として、電話、コンピュータ、又は遊技機等のような電子装置に広く用いられる。成型品の材料が、軽量、低コスト、簡単な加工、及び高い耐食性など、多くの利点を有するため、いろいろな電子装置が、射出成型によって形成された成型品をハウジングとしている。例えば、プラスチックをハウジングの材料としている。
【０００３】
ハウジングに良好な触感を与える為に、ハウジングの外側表面に、皮革、及び織物等のような柔軟層を設置する。このハウジングの製造過程では、先ず、柔軟層を金型内に配置した後、プラスチックを射出成型する。次に、射出成型によって形成された半製品を前記金型から取出し、前記半製品の縁における余剰柔軟層を切断してハウジングの完成品を形成する。前記切断過程において、切断治具、或いは他の切断工具で余剰柔軟層を切断しなければならないため、加工工程が複雑になるばかりでなく、ハウジングの製造コストを増加させる。
【発明の概要】
【発明が解決しようとする課題】
【０００４】
以上の問題点に鑑みて、本発明は、加工工程が簡単であり、ハウジングの製造コストが低い射出成型用金型を提供すると共に、その射出成型用金型によるハウジングの製造方法を提供することを目的とする。
【課題を解決するための手段】
【０００５】
上述した問題を解決する為に、本発明に係る射出成型用金型は、雌型と、前記雌型に対応する雄型と、を備え、前記雌型及び前記雄型の一方に切断部が突設され、他の一方に前記切断部を収納する収納穴が開設されている。
【０００６】
本発明に係る射出成型用金型によるハウジングの製造方法は、雌型と、前記雌型に対応する雄型と、を備え、前記雌型及び前記雄型の一方に切断部が突設され、他の一方に前記切断部を収納する収納穴が開設されている射出成型用金型を提供するステップと、前記雌型の結合面に開設された収納穴、又は切断部を被覆するように前記雌型に柔軟層を配置するステップと、前記射出成型用金型を閉める時に、前記切断部が、前記収納穴に収納されるとともに、前記柔軟層に対して切断を行い、且つ前記雄型及び前記雌型が係合して成型空所を形成するステップと、前記成型空所に溶融プラスチック材料を注入して、前記プラスチック材料及び前記柔軟層が結合されてハウジングを形成するステップと、前記射出成型用金型から前記ハウジングを取出すステップと、を備える。
【発明の効果】
【０００７】
本発明の射出成型用金型は、前記雄型及び雌型を閉める時に、余剰柔軟層を切断してから射出成型を行うので、切断治具、或いは他の切断工具で余剰柔軟層を切断する工程を省略することができる。従って、加工時間を節約し、加工効率を向上させることができる。
【図面の簡単な説明】
【０００８】
【図１】本発明に係る射出成型用金型の開放状態を示す断面図である。
【図２】本発明に係る射出成型用金型によって製造されたハウジングの断面図である。
【図３】本発明に係る射出成型用金型に、柔軟層が配置された状態を示す断面図である。
【図４】本発明に係る射出成型用金型が、図３に示す柔軟層を吸着した状態を示す断面図である。
【図５】本発明に係る射出成型用金型を閉合する時に、図４に示す柔軟層を切断する状態を示す図である。
【図６】図５に示す射出成型用金型に、プラスチックを注入することを示す図である。
【発明を実施するための形態】
【０００９】
以下、図面に基づいて、本発明に係る射出成型用金型、及びその金型によるハウジングの製造方法に関して詳細に説明する。
【００１０】
図１は、本発明に係る射出成型用金型１０の開放状態を示す断面図であって、図２は、本発明に係る射出成型用金型１０によって製造されたハウジング９０の断面図である。
【００１１】
本発明の射出成型用金型１０は、ハウジング９０を製造するために用いられる。前記ハウジング９０は、基材９２と、前記基材９２の表面に被覆された柔軟層９４と、を含む。
【００１２】
前記射出成型用金型１０は、雌型２０と、前記雌型１０に対応する雄型４０と、を含む。
【００１３】
前記雌型２０は、第一結合面２２と、窪み２４と、複数の吸気孔２６と、細長い収納穴２８と、を含む。
【００１４】
前記第一結合面２２は、前記雄型４０と対向する。前記窪み２４は、前記第一結合面２２に凹設されている。前記複数の吸気孔２６は、前記窪み２４の表面に開設され、且つ前記雌型２０を貫通する。前記収納穴２８はそれぞれ、前記窪み２４の両端に隣接した前記第一結合面２２に開設されている。
【００１５】
前記雄型４０は、第二結合面４２と、凸部４４と、孔部４６と、切断部４８と、を含む。
【００１６】
前記第二結合面４２は、前記雌型２０の第一結合面２２と対向する。前記凸部４４は、前記第二結合面４２に凸設され、且つ前記雌型２０の窪み２４と共働して成型空所５０（図５を参照）を形成する。前記孔部４６は、前記凸部４４に設置され、且つ前記雄型４０を貫通する。前記切断部４８はそれぞれ、前記凸部４４の両端に隣接した前記第二結合面４２に設置され、且つ前記雌型２０の収納穴２８に対応する。前記切断部４８として、刃が付設された刃型を用いることが好ましい。
【００１７】
前記切断部４８のサイズを前記収納穴２８のサイズより少し小さくして、前記切断部４８を前記収納穴２８へ充分に収納させる。好ましくは、各切断部４８を、前記収納穴２８の窪み２４寄りの内側壁に緊密に接合させて、ハウジング９０の余剰柔軟層９４を切断する。
【００１８】
射出成型用金型１０によるハウジングの製造方法は、以下のステップを含む。
【００１９】
図３及び図４に示したように、前記柔軟層９４を前記第一結合面２２に配置して、前記雌型２０の窪み２４を被覆させる。次に、前記雌型２０における複数の吸気孔２６を介して、真空発生器（未図示）で前記柔軟層９４を真空吸着することにより、前記柔軟層９４を前記雌型２０の窪み２４の内壁に貼り合わせるとともに、前記第一結合面２２の収納穴２８を被覆させる。
【００２０】
図５に示したように、前記射出成型用金型１０を閉める時、前記雄型４０の切断部４８をそれぞれ、前記雌型２０の収納穴２８における窪み２４寄りの内側壁に緊密に接合させることにより、前記柔軟層９４を切断して余剰柔軟層９４を除去し、且つ前記雄型４０及び前記雌型２０が係合して成型空所５０を形成する。
【００２１】
図６に示したように、溶融プラスチック材料を、前記雄型４０の孔部４６を介して前記成型空所５０に注入する。前記プラスチック材料及び前記柔軟層９４は、前記成型空所５０の内部で付着してハウジング９０を形成する。
【００２２】
最後に、前記射出成型用金型１０を冷却し、前記射出成型用金型１０から前記ハウジング９０を取出す。
【００２３】
また、切断部を雌型に設置し、前記切断部を収納する収納穴を雄型に設置することもできる。
【００２４】
以上、本発明の好適な実施例について詳細に説明したが、本発明は前記実施例に限定されるものではなく、本発明の範囲内で種々の変形、又は修正が可能であり、該変形、又は修正も本発明の特許請求の範囲内に含まれるものであることはいうまでもない。
【符号の説明】
【００２５】
２０    雌型
２２    第一結合面
２４    窪み
２６    吸気孔
２８    収納穴
４０    雄型
４２    第二結合面
４４    凸部
４６    孔部
４８    切断部
５０    成型空所
９０    ハウジング
９２    基材
９４    柔軟層
【図１】
2009220569.tif 000003
【図２】
2009220569.tif 000004
【図３】
2009220569.tif 000005
【図４】
2009220569.tif 000006
【図５】
2009220569.tif 000007
【図６】
2009220569.tif 000008